(57)【要約】  【課題】使用者を収容可能であり大気圧よりも気圧が高い高気圧状態に維持された密閉空間を構成し得るカプセルと、大気中よりも高濃度の酸素を含有した高濃度酸素含有空気を前記カプセル内へ供給する酸素供給装置とを具備する酸素供給システムに用いることで、酸素供給システムの稼働中においてカプセル内の使用者に快適な環境を付与する酸素吹出ノズルを提供する。  【解決手段】酸素吹出ノズルを、高濃度酸素含有空気を放出する複数の吹出孔１２２を有する吹出部材１２と、該吹出部材１２及び酸素供給装置５をチューブＴを介して接続するコネクタ１１とを有するものとした。【選択図】図２
0003107625.tif 000002
【実用新案登録請求の範囲】
【請求項１】
使用者を収容可能であり大気圧よりも気圧が高い高気圧状態に維持された密閉空間を構成し得るカプセルと、大気中よりも高濃度の酸素を含有した高濃度酸素含有空気を前記カプセル内へ供給する酸素供給装置とを具備する酸素供給システムに用いられるものであって、
当該高濃度酸素含有空気を前記カプセル内に放出し得る複数の吹出孔を有する吹出部材と、該吹出部材と前記酸素供給装置とを接続するコネクタとを具備することを特徴とする酸素吹出ノズル。
【請求項２】
前記吹出部材を前記コネクタに対して回転可能に構成し、該吹出部材の回転に伴って前記カプセル内における前記吹出孔の向きを変更可能としている請求項１記載の酸素吹出ノズル。
【請求項３】
前記吹出部材が、複数の吹出孔を形成したパイプ部材から構成されるものである請求項１又は２記載の酸素吹出ノズル。
【請求項４】
前記複数の吹出孔を前記パイプ部材の周方向に分散して設けることにより、高濃度酸素含有空気が前記吹出孔から前記パイプ部材の長手方向を軸に複数方向に放出するように構成している請求項３記載の酸素吹出ノズル。
【請求項５】
前記複数の吹出孔を前記パイプ部材の長手方向に沿って一列の直線状に配列させている請求項３記載の酸素吹出ノズル。
【請求項６】
前記パイプ部材の内部の少なくとも一部に、前記パイプ部材の内壁と高濃度酸素含有空気との衝突を緩衝させる緩衝部材を充填している請求項３、４又は５記載の酸素吹出ノズル。
【請求項７】
前記吹出部材を前記カプセル内の所定位置に配置し得る支持部材をさらに具備している請求項１、２、３、４、５又は６記載の酸素吹出ノズル。
【請求項８】
前記支持部材が、前記カプセルを構成するフレームに前記吹出部材を取り付け得るように構成したものである請求項７記載の酸素吹出ノズル。
【考案の詳細な説明】
【技術分野】
【０００１】
本考案は、高気圧状態で高濃度酸素含有空気を人体に供給する設備に関するものである。
【背景技術】
【０００２】
高気圧状態で高濃度の酸素を含有した高濃度酸素含有空気を人体に供給する高気圧・高濃度酸素処方が知られている。
【０００３】
詳述すると、大気中よりも高濃度（３０％〜３５％）の酸素を含有した高濃度酸素含有空気が体内に吸入された場合、体内では血液中の赤血球内のヘモグロビンに通常よりも多くの酸素が結合する。一方、大気中よりも気圧を上昇させた高気圧状態（１．２２〜１．２５気圧）におかれた環境において、体内では血液やリンパ液中にガス化した酸素が大気圧状態よりも多く溶け込むことにより、当該酸素が足先や指先の毛細血管や心臓、脳の毛細血管の先端にまで行き届くようになる。
【０００４】
つまり、高気圧・高濃度酸素処方とは、高濃度酸素含有空気中且つ高気圧状態の環境を実現することによって、体の隅々にある細胞の代謝や活性を増大させ、肉体的疲労回復効果や精神的リラクゼーション効果を奏させるというものである。また、当該高気圧・高濃度酸素処方は種々の疾患を改善するといった効果も期待されている。
【０００５】
そして、そのような高気圧・高濃度酸素処方を行う設備として、酸素供給システムが利用されている。
【０００６】
この酸素供給システムとは、人が一人程度入れる大きさのカプセルと、当該カプセル内に高濃度酸素含有空気を供給する酸素供給装置とを具備したものである。
【考案の開示】
【考案が解決しようとする課題】
【０００７】
ここで、この酸素供給システムを使用する使用者が上述の効果を十分に得るための重要な要因の一つとして、酸素供給システムの稼働中におけるカプセル内の快適性が挙げられている。すなわち、酸素供給システムの稼働中、カプセル内で使用者が快適さを感じているリラクゼーション状態で過ごすことにより、高気圧・高濃度酸素処方による上述した効果を十分に得ることができると考えられている。
【０００８】
一方、酸素供給システムの稼働中、使用者が不快感を感じやすいと考えられるのが、酸素供給装置から供給された高濃度酸素含有空気がカプセルに形成された供給／排出口から放出される際の放出音と、当該供給／排出口からの風圧である。
【０００９】
詳述すると、酸素供給装置から供給された高濃度酸素含有空気は、カプセルの内壁に設けられた一箇所の供給／排出口から例えば毎秒５０リットルという流量で吹き出される。そのため、供給／排出口から吹き出される際の放出音が使用者にとって耳障りなものとなることがある。また、カプセル内での使用者の姿勢によっては供給／排出口から吹き出される高濃度酸素含有空気が直接使用者の体の一部へ集中して吹き出されてしまうことにより、使用者が体の一部に強い風圧を受けることとなり結果として不快に感じてしまうということも起こり得る。
【００１０】
そのような状況となると、上述した放出音並びに風圧により、使用者は酸素供給システムの稼働中を通して不快な環境を強いられてリラクゼーション状態を維持することができず、高気圧・高濃度酸素処方による種々の効果を十分に享受できないといったことも起こり得ると考えられる。
【００１１】
本考案は、このような課題に着目してなされたものであって、本考案の主たる目的は、酸素供給システムの稼働中において使用者に快適な環境を付与することにある。
【課題を解決するための手段】
【００１２】
すなわち、本考案の酸素吹出ノズルは、使用者を収容可能であり大気圧よりも気圧が高い高気圧状態に維持された密閉空間を構成し得るカプセルと、大気中よりも高濃度の酸素を含有した高濃度酸素含有空気を前記カプセル内へ供給する酸素供給装置とを具備する酸素供給システムに用いられるものであって、当該高濃度酸素含有空気を前記カプセル内に放出し得る複数の吹出孔を有する吹出部材と、該吹出部材と前記酸素供給装置とを接続するコネクタとを具備することを特徴とする。
【００１３】
ここで、コネクタが酸素供給装置に接続される態様は、例えば予め酸素供給装置に取り付けられている配線パイプに直接接続する態様やカプセルに予め設けられた供給口などに直接接続する態様の他、カプセル内に配置されたチューブ等を介して間接的に接続する態様など、酸素供給装置からカプセル内へ高濃度酸素含有空気が供給され得る状態を実現する種々の態様を含むものである。また、吹出部は、例えばパイプ形状のものや可撓性を有するホース状のもの、或いはシャワーヘッド形状のもの等、様々な態様のものを採用することができる。
【００１４】
このようなものであれば、酸素供給装置から供給された高濃度酸素含有空気が複数の吹出孔からカプセル内へ放出されることにより、カプセルの内壁の一箇所から高濃度酸素含有空気が放出される態様に比べて吹出孔から出る放出音並びに風圧を低くすることができる。その結果、カプセル内の使用者は高濃度酸素含有空気の放出音も風圧も気になることなく、カプセル内の使用者の快適さを向上させて、より上質なリラクゼーション状態を得ることが可能となる。
【００１５】
カプセル内へ放出する高濃度酸素含有空気の放出方向を変更して、使用者の体格や使用者の趣向に合わせてカプセル内の高濃度酸素含有空気が対流する方向を適宜変更し得るように構成するためには、前記吹出部材を前記コネクタに対して回転可能に構成し、該吹出部材の回転に伴って前記カプセル内における前記吹出孔の向きを変更可能としていることが望ましい。
【００１６】
単純な構成によって吹出部材を構成するためには、前記吹出部材を、複数の吹出孔を形成したパイプ部材から構成することが望ましい。
【００１７】
特に、吹出孔からの指向性を弱めた吹き出しを可能としてカプセル内の高濃度酸素含有空気の対流を緩やかなものとするためには、前記複数の吹出孔を前記パイプ部材の周方向に分散して設けて、高濃度酸素含有空気が前記吹出孔から前記パイプ部材の長手方向を軸に複数方向に放出するように構成することが好ましい。一方、指向性の強い吹き出しを可能にしてカプセル内で高濃度酸素含有空気を円滑に対流させるためには、前記複数の吹出孔が前記パイプ部材の長手方向に沿って一列の直線状に配列しているものを挙げることができる。
【００１８】
また、高濃度酸素含有空気がパイプ部材内に高い圧力で供給されることによる、当該パイプ部材の振動による騒音を抑えるためには、パイプ部材の内部の少なくとも一部に前記パイプ部材の内壁と高濃度酸素含有空気との衝突を緩衝させ得る緩衝部材を充填する構成とすることが好ましい。ここで、緩衝部材は例えばウレタン、スポンジなど様々なものが含まれる。また、緩衝部材をパイプ部材の内部に充填する態様は、パイプ部材の内部の一部にのみ充填する態様や、パイプ部材の内部全体に充填する態様など、適宜変更することが可能である。
【００１９】
そして、カプセル内の所望の位置に吹出部材を配置するためには、吹出部材を前記カプセル内の所定位置に配置し得る支持部材をさらに設けることが望ましい。特に、保形性維持のためのフレームと該フレームに沿って張られる布材とを主体とするのが通常の構成であるカプセル自体の構造を利用して吹出部材を設置するための構成を最小限とするためには、前記支持部材を、前記カプセルを構成するフレームに前記吹出部材を取り付け得るようにすることが好ましい。ここで、当該支持部材が吹出部材を取り付ける態様は、吹出部材を完全に固定する態様のみならず、例えば回転・回動可能に固定する態様や、ある程度の可動範囲を設ける態様をも含まれる。
【考案の効果】
【００２０】
以上説明したように本考案によれば、酸素供給装置から供給された高濃度酸素含有空気が複数の吹出孔からカプセル内へ放出されることにより、カプセルの内壁の一箇所から高濃度酸素含有空気が放出される態様に比べて吹出孔から出る放出音並びに風圧を低くすることができる。その結果、カプセル内の使用者は高濃度酸素含有空気の放出音も風圧も気になることなく、カプセル内の使用者の快適な環境を付与することにより、使用者はより上質なリラクゼーション状態を獲得し得る状態となる。その結果、高気圧・高濃度酸素処方によってもたらされる種々の効果を使用者が十分に享受し得る状態とすることができる。
【考案を実施するための最良の形態】
【００２１】
以下、本考案の第一実施形態を、図面を参照して説明する。
【００２２】
図１は、高気圧・高濃度酸素処方を好適に実施するための酸素供給システムＳを示しており、当該酸素供給システムＳは、カプセル４と、酸素供給装置５とを連結パイプＰを介して接続することによって主に構成されている。本実施形態ではカプセル４の内部に後述する酸素吹出ノズル１を装着した態様について詳述する。
【００２３】
次に、酸素供給システムＳの構成について説明する。
【００２４】
カプセル４は、大気圧よりも気圧が高い高気圧状態に維持された密閉空間を構成し得るものである。当該カプセル４は、カプセル本体４１と、フレーム４２と、マット４３とを有している。カプセル本体４１は、人が１、２人程度入れる位の大きさの円筒形状をした、例えば内側がシーリングされた布材で構成されたものであり、一方の妻面に複数の供給／排出口４１１を設けている。また、上側中央には使用者の出入り口として、長手方向に延びるファスナー４１２を設けている。また妻面に設けられた複数の供給／排出口４１１の内の１つには連結パイプＰが外側から接続され、カプセル内に酸素供給装置５からの高濃度酸素含有空気を導入し得る状態としているとともに、他の何れかの供給／排出口４１１の内の１つには、カプセル４内の気圧が所定気圧以上となった場合にカプセル４内の気圧を減圧し得る調節弁４１３が取り付けられている。なお、本実施形態において調節弁４１３が設定された前記所定気圧は例えば１．２２気圧となっている。フレーム４２は、布製のカプセル本体４１の形状を不使用時に内側より保持するとともに使用者にとって手すりの役割を果たすことにより、使用者のカプセル４への出入り等を行いやすくするものである。当該フレーム４２は金属パイプを主体として構成されており、コの字状に湾曲させた横架材４２１の下側を２本の支柱４２２の上端に溶接することにより構成されたフレーム要素４２０をカプセル本体４１の長手方向の一端側と他端側とに対称に配置させて構成している。マット４３は、床面に敷設してカプセル本体４１の底面を支持するものであり、使用者が快適にカプセル４内で横になることができるように、例えば弾力性を有するウレタンを主体として構成している。
【００２５】
酸素供給装置５は、大気中よりも高濃度の酸素を含有した高濃度酸素含有空気を前記カプセル４内へ供給するものである。当該酸素供給装置５は、例えば酸素発生部とポンプ部とモニタ部とを有している。酸素発生部は、空気中から酸素を抽出して当該酸素をポンプ部へ送出するものである。ポンプ部は通常の空気と酸素発生部からの酸素とを混合させ高濃度酸素含有空気とした状態でカプセル側へ所定の流速で送出すものである。本実施形態では、前記所定の流速を例えば毎秒５０リットルに設定している。モニタ部は、ポンプ部から送出される高濃度酸素含有空気の酸素濃度と流速をモニタすると共に通常の空気と混合する酸素量と、高濃度酸素含有空気の流速とを制御するものである。
【００２６】
上述したカプセル４と酸素供給装置５は連結パイプＰを介して接続されている。詳細には連結パイプＰは酸素供給装置５に一端側が接続されるとともに他端側がカプセル本体４１に設けられた供給／排出口４１１に接続されている。そして、酸素供給装置５から高濃度酸素含有空気が連結パイプＰを通じてカプセル４内へ供給されるとともに供給／排出口４１１に取り付けられた調節弁４１３が高濃度酸素含有空気をカプセル４の外へ適宜排出することにより、酸素供給システムＳの稼働中におけるカプセル４内の気圧を例えば約１．２２気圧に維持するように構成している。
【００２７】
そして、本実施形態では上述した酸素供給装置５に酸素吹出ノズル１を接続してカプセル４内に高濃度酸素含有空気を吹き出すように構成して、後述するようにカプセル本体４１に設けられた供給／排出口４１１からカプセル４の内部へ高濃度酸素含有空気が放出される際の放出音並びに風圧を抑えることにより、カプセル４内の使用者の快適さを向上させて、より上質なリラクゼーション状態を得ることを可能としている。
【００２８】
酸素吹出ノズル１は、図２にカプセルの内部を模式的に示すように、カプセル本体４１の妻面に設けられた、外側に連結パイプＰを接続している供給／排出口４１１の内側に、可撓性を有する樹脂製のチューブＴを介して接続している。そしてフレーム４２を構成する一方のフレーム要素４２０の横架材４２１に、後述する支持部材１３を介して取り付けられることによりカプセル４内に配置されている。なお、この状態において酸素吹出ノズル１は、酸素供給システムＳ稼働中における使用者の頭部の上側に位置していることとなる（図５、図６参照）。
【００２９】
以下、酸素吹出ノズル１の具体的な構成について図３及び図４を用いて詳述する。
【００３０】
酸素吹出ノズル１は、図３、図４に示すように、コネクタ１１と、吹出部材１２と、支持部材１３とを有している。
【００３１】
コネクタ１１は、固定部１１１と、回転部１１２とを具備しているものである。固定部１１１はその一端側において吹出部材１２の端部に位置する後述する穴あきエンドキャップ１２６に対し、ゴムパッキンｇｐ及び平行ニップルｎｐを介して固定されているとともに、他端側において回転部１１２に相対的に回転可能に接続している。回転部１１２は、一端側と他端側とが若干の角度をなすように屈曲した形状をなしており、一端側において上述の通り固定部１１１に回転可能に接続しているとともに他端側において可撓性を有するチューブＴの先端に取り付けられた雌継手Ｔ１と接続可能な雄継手１１２ａを形成している。そして、該雄継手１１２ａと雌継手Ｔ１とを接続することにより、供給／排出口４１１及び連結パイプＰを介して酸素供給装置５に間接的に接続している。上述のように、固定部１１１に対して回転部１１２が相対的に回転可能に構成されているため、図２に示す状態において、回転部１１２及びチューブＴの位置は変化させずに固定部１１１に固定された吹出部材１２を回転させ得る構成をなしている。そのため、後述するように吹出部材１２を回転させて高濃度酸素含有空気が吹き出す方向を適宜調節することができる。
【００３２】
吹出部材１２は、図３、図４に示すように、例えば長さ４５０ｍｍの樹脂製のパイプ部材１２１を主体としている。そして当該パイプ部材１２１の先端にはエンドキャップ１２５を、基端には穴あきエンドキャップ１２６を嵌入させている。また、当該パイプ部材１２１には例えば直径１５ｍｍの吹出孔１２２を３３個形成している。詳細には、吹出孔１２２の配置は、当該パイプ部材１２１の周方向に二列に分散し、図示上列側に１６個、図示下列側に１７個形成したものとなっている。また、各列における吹出孔１２２、１２２間の間隔を２０ｍｍに設定するとともに、吹出孔１２２、１２２同士の最も近接した間隔がパイプ部材１２１の長手方向に沿って１０ｍｍ間隔となるように各列を互いに位相を異ならせて所謂千鳥状の配列をなすように配置させている。そして吹出孔１２２が上述のような配列をなすことにより、カプセル４内の気圧並びに高濃度酸素含有空気のパイプ部材１２１への流入量に拘わらず、吹出孔１２２から高濃度酸素含有空気が吹き出す吹出音が静粛なものとなるとともに、吹出孔１２２から高濃度酸素含有空気が吹き出す際のパイプ部材１２１の振動が少ないものとなっている。
【００３３】
また上述の通り、吹出部材１２はコネクタ１１の回転部１１２に対して回転させ得る構成となっている。ここで、パイプ部材１２１の内部において、基端側の穴あきエンドキャップ１２６付近と先端側のエンドキャップ１２５付近には、コネクタ１１から流入した高濃度酸素含有空気がパイプ部材１２１の内壁１２１ａに強く衝突することによって起こるパイプ部材１２１の振動を抑制するために、例えば長さ５０ｍｍの緩衝部材たる円筒状のウレタン部材１２３、１２４がそれぞれ充填されている。
【００３４】
支持部材１３は、図３、図４に示すように、パイプ部材１２１の基端側と先端側にそれぞれ取り付けられている。また、支持部材１３は、下側に形成された挿通孔１３１においてパイプ部材１２１を挿通させることによって、支持部材１３に対してパイプ部材１２１がガタつきなく回転し得る状態で取り付けられるとともに、上側には断面視Ｃ字型のフック１３２を形成しており、横架材４２１に嵌入させて着脱可能に取り付け得る構成となっている。なお、フック１３２の内面側には図示しない肉薄のウレタンテープが貼付されており、該ウレタンテープが横架材４２１に対する支持部材１３の滑り止め、すなわち回転防止の作用と、高濃度酸素含有空気が流入する際のパイプ部材１２１の振動を吸収することによる消音作用とを併せて果たしている。
【００３５】
そして、酸素吹出ノズル１によって形成されたカプセル４内の高濃度酸素含有空気の対流パターンを図５、図６に模式的に示す。なお、図５、図６に示した太矢印は、吹出孔１２２から吹き出された高濃度酸素含有空気がカプセル４内を対流する方向を模式的に示すものである。すなわち、高濃度酸素含有空気がパイプ部材１２１に千鳥形状に形成された複数の吹出孔１２２によってパイプ部材１２１の長手方向を軸に二方向に分散されてカプセル４内を流れることにより、図５に示すように高濃度酸素含有空気はカプセル４内を緩やかに且つくまなく対流する。加えて、パイプ部材１２１は、当該パイプ部材１２１を軸として回転させて吹出孔１２２の向きを変更し、カプセル４内へ放出する高濃度酸素含有空気の放出方向を適宜変更することができるので、図５に示したような吹出孔１２２の角度設定のほか、使用者の趣向に合わせて使用者自身がパイプ部材１２１を任意に回転させて、最も快い吹出孔１２２の角度を決定することができる。例えば図６のように、パイプ部材１２１を回転させて吹出孔１２２の角度を変更して、吹出孔１２２から吹き出される高濃度酸素含有空気が使用者にとって直接心地よい風として感じられる態様とすることもできる。
【００３６】
以上のように、本実施形態に係る酸素吹出ノズル１は、高濃度酸素含有空気を前記カプセル４内に放出し得る複数の吹出孔１２２を有する吹出部材１２と、該吹出部材１２と前記酸素供給装５とを接続するコネクタ１１とを具備しているので、酸素供給装置５から供給された高濃度酸素含有空気が複数の吹出孔１２２からカプセル４内へ放出されることにより、カプセル４の内壁の一箇所から高濃度酸素含有空気が放出される態様に比べて高濃度酸素含有空気が放出される放出音並びに風圧を低く抑えることができる。その結果、カプセル４内の使用者は高濃度酸素含有空気の放出音も風圧も気になることなく、カプセル４内の使用者の快適さを向上させて、より上質なリラクゼーション状態を得ることが可能となる
また、吹出部材１２がコネクタ１１に対して、詳細にはコネクタ１１の回転部１１２に対して吹出部材１２に固定された固定部１１１が回転可能に構成されているので、吹出孔１２２の向きを変更してカプセル４内へ放出する高濃度酸素含有空気の放出方向を適宜変更することにより、使用者の体格や使用者の趣向に合わせてカプセル４内の高濃度酸素含有空気が対流する方向を任意に調節することができる。
【００３７】
さらに、吹出部材１２が、複数の吹出孔１２２を形成したパイプ部材１２１を主体とした構成としているので、単純な構成によって吹出部材１２を構成して酸素吹出ノズル１の製造コストを抑えている。なお、パイプ部材１２１に穴をあけるだけで吹出孔１２２を簡単に形成できるので、例えば吹出孔１２２を上述した千鳥形状以外にも、様々な配列で形成することにより所望の吹出部材１２を構成することが可能である。
【００３８】
特に、パイプ部材１２１の長手方向に沿って前記複数の吹出孔１２２をパイプ部材１２２の周方向に分散させた千鳥形状に配列させて、高濃度酸素含有空気をパイプ部材１２１の長手方向を軸に複数方向に分散させて放出することにより、指向性を弱めた吹き出しを可能としてカプセル４内の高濃度酸素含有空気の対流を緩やかなにするとともに、高濃度酸素含有空気が放出される際の放出音をより静粛なものとしている。また、当該パイプ部材１２１の内部に緩衝部材たるウレタン部材１２３、１２４を充填することにより、高濃度酸素含有空気がパイプ部材１２１の内壁１２１ａに強く衝突することによって起こるパイプ部材１２１の振動音を低減させている。また、緩衝部材としては例えばスポンジの他、様々なものを使用することができる。
【００３９】
そして、吹出部材１２をカプセル４内の所定位置に配置し得る支持部材１３をさらに具備することにより、吹出部材１２をカプセル４内の所望の位置に配置している。特に、当該支持部材１３が、カプセル４を構成するフレーム４２に吹出部材１３を取り付けているので、カプセル４の内部の構成を利用して吹出部材１２を設置するための構成を最小限としている。
【００４０】
また、支持部材１３は、上述したようにカプセル４の構成要素であるフレーム４２に取り付ける態様に限られるものではなく、酸素供給システムＳにおけるカプセル４内部の仕様に限定されずに吹出部材１２を配置することが可能である。
【００４１】
次に、本実施形態の変形例を図７に示して説明する。すなわち、カプセル４の長手方向に直交する方向に横架材を有さない構成、すなわち逆Ｌ字状に湾曲したフレーム要素４４０によって構成されるフレーム４４が設けられているような場合であっても、補助バー３をフレーム要素４４０、４４０間に架設し、当該補助バー３に支持部材１３を取り付けることにより吹出部材１２を配置している。また勿論、カプセル４がフレーム４２、４４を有さない場合、或いはフレームが吹出部材１２を設置したい位置とは全く離れた箇所に位置している場合であっても、例えばカプセル４内に自立可能なスタンド等を別途設けて当該スタンド等に支持部材１３を取り付けることにより、カプセル４内の所望の位置に吹出部材１２を設置することも可能である。
【００４２】
加えて、本実施形態の他の変形例として、図３、図４に示した支持部材１３の代わりに、図８に示すような支持部材１３ａを用いても良い。当該支持部材１３ａは、フレーム４２の横架材４２１及びパイプ部材１２１にそれぞれ嵌入させ得る一対のフック１３２ａ、１３２ｂを、ボルトｂと図示しないナットとによってそれぞれ結合させてなるものである。このようなものであれば、横架材４２１に対する取り外しのみならずパイプ部材１２１に対する取り外しがより容易なものとなる。さらに、様々な直径又は形状を有するフレーム４２、４４或いは補助バー３及びパイプ部材１２１に対応させるべく、一方又は両方のフック１３２ａ、１３２ｂを適宜取り替えることも可能である。
【００４３】
また、この酸素吹出ノズル１はコネクタ１１の雄継手１１２ａとチューブＴの雌継手Ｔ１との間で容易に取り外しが可能となっているので、必要に応じて後述する酸素吹出ノズル２等と容易に交換することが可能である。
【００４４】
続いて本考案の第二実施形態に係る酸素吹出ノズル２を図９に示す。ここで、本実施形態において、酸素吹出ノズル２のうち、酸素吹出ノズル１と同様の構成を有する各構成要素については詳細な説明を省略する。また、酸素吹出ノズル２におけるコネクタを２１、吹出部材を２２と記載するように、酸素吹出ノズル１に対応する酸素吹出ノズル２の各箇所並びに構成要素には、符号の第一桁目の「１」を「２」に置き換えて記載している。
【００４５】
この酸素吹出ノズル２は、全体として上述した酸素吹出ノズル１と略同様の構成を有するものであるが、パイプ部材２２１の長手方向に沿って直線状をなして配列している複数の吹出孔２２２を有しているものである。
【００４６】
そして、酸素吹出ノズル２によって形成されたカプセル４内の高濃度酸素含有空気の対流パターンを９に模式的に示す。ここで、図１０に示した太矢印は、吹出孔２２２から吹き出された高濃度酸素含有空気がカプセル４内を対流する方向を模式的に示すものである。
【００４７】
この酸素吹出ノズル２を採用することにより、図１０に示すように高濃度酸素含有空気をパイプ部材２２１の長手方向に沿って単一方向に放出することによる指向性の強い吹き出しを可能にして、カプセル４内に円滑な高濃度酸素含有空気の対流を起こすことができる。
【００４８】
なお、本考案は、以上に詳述した各実施形態に限られるものではない。例えば、例えばチューブをカプセル内で複数に枝分かれさせるなどして、カプセル内に複数の酸素吹出ノズルを同時に接続し得るものであっても良い。また、支持部材１３を取り付ける箇所は図２に示した箇所に限定されるものではなく、例えばフレームの支柱に取り付けることも可能であり、取り付ける箇所及び方向は図２及び図８等に限定されるものではない。さらに、吹出部材はパイプ部材を主体とするものに限られるものではなく、例えば可撓性を有するチューブに適宜吹出孔を設け、所望の位置から高濃度酸素含有空気を吹き出す態様を採用したものであっても良い。また、カプセルに設けられた供給／排出口に直接取り付けるものであってもよい。
【００４９】
その他、各部の具体的構成についても上記実施形態に限られるものではなく、本考案の趣旨を逸脱しない範囲で種々変形が可能である。
【図面の簡単な説明】
【００５０】
【図１】本考案の第一実施形態に係る酸素供給システムの全体図。
【図２】同実施形態に係る要部を示す構成説明図。
【図３】同実施形態に係る酸素吹出ノズルを示す斜視図。
【図４】同実施形態に係る吹出部材を示す模式的な断面図。
【図５】同実施形態に係る動作説明図。
【図６】同上。
【図７】同実施形態の変形例に係る酸素吹出ノズルを示す構成説明図。
【図８】同実施形態の他の変形例に係る酸素吹出ノズルを示す構成説明図。
【図９】本考案の第二実施形態に係る酸素吹出ノズルを示す斜視図。
【図１０】同実施形態に係る動作説明図。
【符号の説明】
【００５１】
１、２…酸素吹出ノズル
１１、２１…コネクタ
１２、２２…吹出部材
１２１、２２１…パイプ部材
１２２、２２２…吹出孔
１２３、１２４…緩衝部材（ウレタン部材）
１３、１３ａ、２３…支持部材
４…カプセル
４２、４４…フレーム
５…酸素供給装置
Ｓ…酸素供給システム
【図１】
0003107625.tif 000003
【図２】
0003107625.tif 000004
【図３】
0003107625.tif 000005
【図４】
0003107625.tif 000006
【図５】
0003107625.tif 000007
【図６】
0003107625.tif 000008
【図７】
0003107625.tif 000009
【図８】
0003107625.tif 000010
【図９】
0003107625.tif 000011
【図１０】
0003107625.tif 000012